(57)【要約】【課題】  パチンコ機やスロットマシンで遊技中の遊技客が離席する場合に、受け皿に貯まった遊技媒体の盗難を防止した遊技機の遊技媒体受け皿を提供する。【解決手段】  遊技機の遊技媒体を貯めておく遊技機の遊技媒体受け皿において、当該受け皿（受け皿部１０）に、貯められた遊技媒体の取り出しを防止する取出し防止手段（蓋１２）を設けた構成としてある。このようにすれば、例えばメダルの貯まった受け皿部１０に蓋１２をするので、第三者は受け皿にメダルが有るのか無いのか、分からない。従って、例えばメダルの盗難の防止に寄与できる。【選択図】      図１
2005074102.tif 000002
【特許請求の範囲】
【請求項１】
遊技媒体を貯めておく遊技機の遊技媒体受け皿において、
当該遊技媒体受け皿に、貯められた前記遊技媒体の取り出しを防止する取出し防止手段を設けた
ことを特徴とする遊技機の遊技媒体受け皿。
【請求項２】
請求項１記載の遊技機の遊技媒体受け皿において、
前記取出し防止手段は板状部材からなり、該板状部材の面にメッセージを表示した
ことを特徴とする遊技機の遊技媒体受け皿。
【請求項３】
請求項２記載の遊技機の遊技媒体受け皿において、
前記板状部材は、電気的制御によりメッセージを表示する部材を備えてなる
ことを特徴とする遊技機の遊技媒体受け皿。
【請求項４】
請求項１〜請求項３記載の遊技機の遊技媒体受け皿において、
前記取出し防止手段は、該取出し防止手段を当該遊技機本体に対して固定する施錠手段を設けた
ことを特徴とする遊技機の遊技媒体受け皿。
【請求項５】
請求項４記載の遊技機の遊技媒体受け皿において、
前記施錠手段は、暗証番号により施錠・開錠する
ことを特徴とする遊技機の遊技媒体受け皿。
【請求項６】
請求項５記載の遊技機の遊技媒体受け皿において、
前記暗証番号を入力する手段は、当該遊技機本体が本来持つ入力手段である
ことを特徴とする遊技機の遊技媒体受け皿。
【請求項７】
請求項５記載の遊技機の遊技媒体受け皿において、
前記暗証番号を入力する手段は、当該遊技機を管理する管理部門に設けた
ことを特徴とする遊技機の遊技媒体受け皿。
【請求項８】
請求項７記載の遊技機の遊技媒体受け皿において、
前記管理部門は、遊技客が個別の遊技機に設定した暗証番号に拘わらず、その遊技機の施錠手段を開錠する手段を備えた
ことを特徴とする遊技機の遊技媒体受け皿。
【請求項９】
請求項４〜請求項８記載の遊技機の遊技媒体受け皿において、
前記施錠手段が施錠を開始されてからの経過時間を監視するタイマー手段を備えた
ことを特徴とする遊技機の遊技媒体受け皿。
【発明の詳細な説明】
【技術分野】
【０００１】
本発明は、遊技機の遊技媒体受け皿に関し、特に、パチンコ機やスロットマシンで遊技中の遊技客が離席する場合に、受け皿に貯まった遊技媒体の盗難を防止可能な遊技機の遊技媒体受け皿に関する。
【背景技術】
【０００２】
例えば、パチンコ機やパチスロ機等の遊技機が複数設置された遊技場において、遊技客がそれら遊技機で遊技をする場合を考える。
遊技客の遊技は長時間にわたることがあり、その場合には、遊技客はトイレ休憩や食事休憩等のために、遊技中のスロットマシン等の自席から離れることがある。
【０００３】
この遊技客が離席する際に、スロットマシンであれば、メダル受け皿に大量のメダルが貯められている場合があり、遊技客が離席している間にメダルの盗難のおそれがある。
また、遊技客によっては、例えばスロットマシン等の受け皿にタバコ等を置き、休憩中である意思表示をして離席する場合がある。しかし、遊技場側にしてみれば、スロットマシン等の稼働率の問題があり、遊技客の離席時間はできるだけ短い方が好ましい。
【０００４】
一方、遊技客が休憩のために離席していることや、あるいはその遊技機が予約済みであることを表示し、他の遊技客がその遊技機を使用することを防止した技術が提案されている（例えば、特許文献１参照。）。
ここで、特許文献１の提案技術を簡単に説明する。
【０００５】
図１０，図１１に示すように、スロットマシン本体１００内部に、表示手段（前面パネル１１０の裏面側、図示省略）における休憩・予約表示の開始及び終了の切り換えを行う表示切換スイッチ１１９−１と、設定時間を表示する設定時間表示部（図示省略）と、表示時間を設定する表示時間設定スイッチ１１９−３と、設定表示時間の経過時に休憩・予約表示を終了するか否かを示す表示継続スイッチ１１９−４と、遊技動作があった時点で休憩・予約表示を終了するか否かを設定する遊技再開選択スイッチ１１９−５と、休憩・予約表示のされているときに、遊技ロックを行うかを設定する遊技ロックスイッチ１１９−６等を設けた、というものである。
【０００６】
１１９は、休憩・予約表示入力手段、１３０ａ，１３０ｂ，１３０ｃは回胴ドラム、１４０はホッパータンクである。
【０００７】
このように構成することにより、スロットマシンにおいて、コストをかけずに休憩・予約表示を行うとともに、この休憩・予約表示等がされている間に、他者による使用の防止を可能とすることができる。
【特許文献１】特開２００２−２６３２４９号公報
【発明の開示】
【発明が解決しようとする課題】
【０００８】
しかしながら、前面パネルに設けられた表示手段に「休憩中」や「予約中」などを表示させる従来の技術は、離席の際に休憩等の表示をすることは可能であるが、メダル受け皿のメダルは露呈したまま、またはタバコ等を載せただけなので、メダルの盗難の防止をすることは不可能であった。
しかも、このメダルの盗難防止対策がなされていないことは、パチスロ機だけではなく、パチンコ機の受け皿に貯められた賞球についても、同様のことが云えた。
【０００９】
本発明は、上記事情にかんがみなされたものであり、パチンコ機やスロットマシンで遊技中の遊技客が離席する場合に、受け皿に貯まった遊技媒体の盗難を防止する遊技機の遊技媒体受け皿を提供することを目的とする。
【課題を解決するための手段】
【００１０】
この目的を達成するために本発明の遊技機の遊技媒体受け皿は、遊技機（パチンコ機やパチスロ機）の遊技媒体（賞球やメダル）を貯めておく遊技機の遊技媒体受け皿において、当該受け皿（図１の受け皿部１０）に、貯められた遊技媒体の取り出しを防止する取出し防止手段（蓋１２）を設けた構成としてある。
【００１１】
遊技機の遊技媒体受け皿の構成を図示すると、例えば図１，図２（Ａ）に示すようになる。
このようにすれば、例えばメダルの貯まった受け皿部１０に蓋１２をするので、第三者は受け皿にメダルが有るのか無いのか、一見しただけでは分からない。従って、メダルの盗難の防止に寄与できる。
【００１２】
また、本発明の遊技機の遊技媒体受け皿は、請求項１記載の遊技機の遊技媒体受け皿において、取出し防止手段は板状部材（図２の蓋１２）からなり、該板状部材の面にメッセージ（図２（Ｂ），（Ｃ）の「いらっしゃいませ」や「休憩中」）を表示した構成としてある。
【００１３】
この構成を図示すると、例えば図２（Ａ），（Ｂ），（Ｃ）に示すようになる。このようにすれば、メッセージによりその遊技機（この場合はパチスロ機）がどのような状況にあるかを、第三者やホール従業員に伝えることができる。
【００１４】
また、本発明の遊技機の遊技媒体受け皿は、請求項２記載の遊技機の遊技媒体受け皿において、板状部材は、電気的制御によりメッセージを表示する部材（図２，図３の表示部５４）を備えてなる構成としてある。
【００１５】
この構成を図示すると、例えば図２（Ａ），（Ｂ），（Ｃ）、図３に示すようになる。このようにすれば、メッセージを表示する部材を、例えば液晶で構成すれば、暗証番号入力部５３（ストップスイッチ３４（３４ａ，３４ｂ，３４ｃ））や入力部４５から、液晶に所望のメッセージを表示させることが可能となる。
【００１６】
また、本発明の遊技機の遊技媒体受け皿は、請求項１〜請求項３記載の遊技機の遊技媒体受け皿において、取出し防止手段（図２の蓋１２）は、該取出し防止手段を当該遊技機本体に対して固定する施錠手段（雄施錠部１３ａと雌施錠部１３ｂ）を設けた構成としてある。
【００１７】
この構成を図示すると、例えば図２（Ａ），（Ｂ），（Ｃ）に示すようになる。このようにすれば、遊技客が離席する際には雄施錠部１３ａと雌施錠部１３ｂにより施錠状態にできるので、貯められたメダル等の盗難を防止できる。
【００１８】
また、本発明の遊技機の遊技媒体受け皿は、請求項４記載の遊技機の遊技媒体受け皿において、施錠手段は、暗証番号により施錠・開錠する構成としてある。
【００１９】
この構成を図示すると、例えば図１，図３に示すようになる。このようにすれば、開錠する暗証番号は遊技者のみが知っているので、第三者は施錠状態の蓋１２を開けることができず、メダル等の盗難を防止できる。
【００２０】
また、本発明の遊技機の遊技媒体受け皿は、請求項５記載の遊技機の遊技媒体受け皿において、暗証番号を入力する手段は、当該遊技機本体（スロットマシンＳＭ）が本来持つ入力手段（図１のストップスイッチ３４（３４ａ，３４ｂ，３４ｃ））である構成としてある。
【００２１】
この構成を図示すると、例えば図１，図３に示すようになる。このようにすれば、遊技者が施錠する場合には、蓋１２を閉じた後、例えば３桁のストップスイッチ３４（３４ａ，３４ｂ，３４ｃ）を、左ストップスイッチ３４ａ，中央ストップスイッチ３４ｂ，右ストップスイッチ３４ｃと、順次所望の回数だけ押すことにより暗証番号を設定入力し、自分の席に居ながらにして暗証番号を設定できる。
【００２２】
また、本発明の遊技機の遊技媒体受け皿は、請求項５記載の遊技機の遊技媒体受け皿において、暗証番号を入力する手段（図３の中央制御部４０，入力部４５，個別台暗証番号制御部４１）は、当該遊技機を管理する管理部門（図３の中央制御部４０を設置した部門）に設けた構成としてある。
【００２３】
この構成を図示すると、例えば図３に示すようになる。このようにすれば、例えば或る遊技機を修理する場合等において、蓋１２をした後、管理部門の入力部４５から暗証番号を入力し、その遊技機を事実上、遊技客が使用できないようにすることができる。
【００２４】
また、本発明の遊技機の遊技媒体受け皿は、請求項７記載の遊技機の遊技媒体受け皿において、管理部門は、遊技客が個別の遊技機に設定した暗証番号に拘わらず、その遊技機の施錠手段を開錠する手段（図３の入力部４５，個別台施錠・開錠制御部４２）を備えた構成としてある。
【００２５】
この構成を図示すると、例えば図３に示すようになる。このようにすれば、例えば休憩中の遊技客が長時間着席しない場合に、その蓋１２の閉められた遊技機の蓋１２を個別台施錠・開錠制御部４２の制御により開き、受け皿中のメダルの有無を確認できる。メダルが無ければ、蓋１２を開き、第三者がその遊技機を使用可能にすることができる。従って、遊技機の稼働率を上げることができる。
【００２６】
また、本発明の遊技機の遊技媒体受け皿は、請求項４〜請求項記８載の遊技機の遊技媒体受け皿において、施錠手段が施錠開始されてからの経過時間を監視するタイマー手段（図３のタイマー制御部４４とタイマー制御部５２）を備えた構成としてある。
【００２７】
この構成を図示すると、例えば図３に示すようになる。このようにすれば、管理部門（中央制御部４０）では施錠開始からの経過時間をタイマー制御部５２で監視してその遊技機の管理番号と経過時間を表示部４６に表示させる。この経過時間が所定時間（例えば、１時間）を過ぎた場合には、個別台施錠・開錠制御部４２の制御により、その遊技機の蓋１２を開き、受け皿中のメダルの有無を確認する。メダルが無ければ、蓋１２を開き、第三者がその遊技機を使用可能にすることができる。従って、遊技機の稼働率を上げることができる。
【発明の効果】
【００２８】
本発明によれば、例えばメダルの貯まった受け皿部に取出し防止手段（蓋）で塞ぐので、第三者は受け皿にメダルが有るのか無いのか、分からない。従って、例えばメダルの盗難を防止できる。
また、取出し防止手段にメッセージを表示することで、そのメッセージにより遊技機（例えば、パチスロ機）がどのような状況にあるかを、第三者やホール従業員に伝えることができる。
【００２９】
さらに、メッセージを表示する部材を、例えば液晶で構成すれば、個別台の暗証番号入力部や管理部門の入力部から、所望のメッセージを表示させることが可能となる。
しかも、取出し防止手段に施錠手段を設けることで、遊技客が離席する際にはその施錠手段により施錠状態にできるので、貯められた例えばメダルの盗難を防止できる。
【００３０】
また、施錠手段として暗証番号により施錠・開錠できるようにした場合、施錠する暗証番号は遊技者のみが知っているので、第三者は施錠状態の施錠手段を開けることができず、メダル等の盗難を防止できる。
さらに、遊技者が施錠する場合に、当該遊技機が本来持つ入力手段を使用することを可能とすることで、自分の席に居ながらにして暗証番号を設定できる。また、暗証番号の入力手段を新規に追加する必要が無いので、遊技機の製造原価のコストアップを抑制できる。
【００３１】
そして、暗証番号を入力する手段を遊技機を管理する管理部門に設けることにより、例えば或る遊技機を修理する場合等において、取出し防止手段を閉じた後、管理部門の入力部から暗証番号を入力し、その遊技機を事実上、遊技客が使用できないようにすることができる。
【００３２】
しかも、遊技客が個別の遊技機に設定した暗証番号に拘わらず、管理部門が、その遊技機の施錠手段を開錠する手段を備えた構成とすることにより、例えば休憩中の遊技客が長時間着席しない場合に、閉められた遊技機の取出し防止手段を、管理部門の管理する個別台施錠・開錠制御部の制御により開き、受け皿中のメダルの有無を確認できる。メダルが無ければ、取出し防止手段を開き、第三者がその遊技機を使用可能にすることができる。従って、遊技機の稼働率を上げることができる。
【００３３】
加えて、施錠手段が施錠を開始されてからの経過時間を監視するタイマー手段を備えたことで、管理部門（中央制御部）では施錠開始からの時間をタイマー制御部で監視してその遊技機の管理番号と経過時間を表示部に表示させることができる。この経過時間が所定時間を過ぎた場合には、個別台施錠・開錠制御部の制御により、その遊技機の取出し防止手段を開き、受け皿中のメダルの有無を確認する。メダルが無ければ、取出し防止手段を開き、第三者がその遊技機を使用可能にすることができる。従って、遊技機の稼働率を上げることができる。
【発明を実施するための最良の形態】
【００３４】
パチスロ機等の遊技機の受け皿に取出し防止手段（蓋）を設け、離席の際は、蓋を閉じるようにしておく。また、蓋には施錠手段を備え、離席時には施錠可能にした。
【００３５】
［実施形態１］
図１は、本発明の実施形態１の外観斜視図、図２は、実施形態１の要部を示す図であって、（Ａ）はＩ−Ｉ線に沿う断面図、（Ｂ）は蓋を開いた場合のメッセージの正面図、（Ｃ）は蓋を閉じた場合のメッセージの正面図、図３は、施錠制御系のブロック図である。
図１、図２（Ａ），（Ｂ），（Ｃ）に示すように、スロットマシンＳＭは、スロットマシン本体部ＳＨと前面パネル部ＦＰとを備えてなる。
【００３６】
スロットマシン本体部ＳＨは、回胴ドラム，ホッパータンク等を備えてなる（図１０参照）。
前面パネル部ＦＰは、受け皿部１０と、回胴ドラム表示部２０と、操作部３０とを備えてなる。
受け皿部１０は、メダルを貯める箱状の受け皿本体１１と、該受け皿本体１１を閉じる長方形の蓋１２とを備えてなる。
【００３７】
受け皿本体１１の右側壁上面には、次に説明する雄施錠部１３ａに係合して施錠する雌施錠部１３ｂを備えている。
蓋１２は、左右上両端部にヒンジを備え、該ヒンジが受け皿本体１１に対して回動自在に支持している。
蓋１２の蓋表面１２ａの右下部には前記雄施錠部１３ａを突設してあり、前述のように雌施錠部１３ｂに係合して施錠可能となっている。
１４はメダルの払出口、１５は灰皿である。
【００３８】
蓋表面１２ａには、図２（Ｂ）に示すように、「いらっしゃいませ」のメッセージを印刷することができる。これにより、着席しようとしている遊技客に気持ちよく遊技をして貰うための案内機能を備えることができる。
蓋裏面１２ｂには、図２（Ｃ）に示すように、「休憩中」のメッセージを印刷することができる。これにより、そのパチスロ機を使用しようとした第三者やパチスロホールの従業員に対して、遊技者が「休憩中」である旨の表示・報知を行うことができる。
【００３９】
操作部３０は、メダル投入口３１と、メダルＢＥＴスイッチ３２と、スタートレバー３３と、ストップスイッチ３４（３４ａ，３４ｂ，３４ｃ）とを備える。なお、ストップスイッチ３４は、施錠する際の暗証番号の入力手段としても使用する（後述）。
【００４０】
メダルＢＥＴスイッチ３２は、制御手段の記憶部（図示省略）に蓄積されている貯留メダルを用いてゲームが行われる場合に使用されるものであり、このメダルＢＥＴスイッチの押下回数と同数が、ゲームに賭けられる貯留メダルの投資枚数となる。
【００４１】
スタートレバー３３は、メダルが賭けられた後、回胴ドラムの回転を開始するためのレバーである。
ストップスイッチ３４ａ〜３４ｃは、回胴ドラムと同数設けられ、対応する回胴ドラム回転を停止する。
【００４２】
次に、図３を参照しつつ、施錠制御系ＬＣを説明する。
図３に示すように、施錠制御系ＬＣは、パチスロホールの集中管理室に備えた中央制御部４０と、個別のパチスロ機に備えた個別台制御部５０とを有してなる。
【００４３】
中央制御部４０は、個別台暗証番号制御部４１と、個別台施錠・開錠制御部４２と、一斉施錠・開錠制御部４３と、タイマー制御部４４とを備えてなる。
４５は、暗証番号の入力・解除や個別台の指定入力等を行うテンキーを含んでなる入力部、４６は施錠中のパチスロ機の管理番号や施錠してからの経過時間を表示する表示部、４７は中央制御部４０の制御用プログラムを格納したＲＯＭ、４８は中央制御部４０の演算途上で使用するＲＡＭである。
【００４４】
個別台暗証番号制御部４１は、集中管理室で管理しているパチスロ機毎（例えば、５０台）の個別の暗証番号を制御する。指示入力には入力部４５を使用し、暗証番号や個別台指定の入力および訂正等が可能である。
個別台施錠・開錠制御部４２は、個別台暗証番号制御部４１で指示入力されたパチスロ機毎の施錠・開錠を制御する。
一斉施錠・開錠制御部４３は、集中管理室で管理している全てのパチスロ機に対して一斉に施錠・開錠を制御する。
【００４５】
個別台制御部５０は、施錠・開錠制御部５１と、タイマー制御部５２と、暗証番号入力手段（ストップスイッチ３４）と、表示部５４（蓋１２）を備えてなる。
施錠・開錠制御部５１は、蓋１２が閉じられ、暗証番号が入力された後、雄施錠部１３ａと雌施錠部１３ｂの施錠・開錠の制御を行う。
【００４６】
タイマー制御部５２は、そのパチスロ機が施錠されてからの経過時間を監視する。
暗証番号入力手段としては、例えばストップスイッチ３４（３４ａ，３４ｂ，３４ｃ）を使用する。
【００４７】
なお、蓋１２を、タッチパネル式の液晶を備えて構成し、表示部５４として使用するようにしてもよい。このようにすれば、中央制御部４０の入力部４５からメッセージが入力可能になる。メッセージとしては、前記「いらっしゃいませ」や「休憩中」に加えて、例えば、「予約中」や「故障中」等のパチスロホール側のメッセージも表示することが可能である。
また、タッチパネル式なので、図２（Ｃ）および図３に示すように、表示部５４の一部を、暗証番号入力部５４ａとして使用することも可能である。
【００４８】
そして、遊技者が休憩等で離席する際には、蓋１２を閉じた後、ストップスイッチ３４（３４ａ，３４ｂ，３４ｃ）に対して例えば３桁の暗証番号を入力すると、施錠・開錠制御部５１の制御により、雌施錠部１３ｂの例えばソレノイドが作動し、施錠状態にセットする。
【００４９】
ここに、ストップスイッチ３４を暗証番号入力手段として使用する場合には、蓋１２を閉じると暗証番号入力モードに切り替わるようになっているので、先ず、蓋１２を閉じる。そして、暗証番号が例えば「３４６」であると仮定すると、左ストップスイッチ３４ａを「３回」押し、次に中央ストップスイッチ３４ｂを「４回」押し、最後に右ストップスイッチ３４ｃを「６回」押す。
【００５０】
なお、右ストップスイッチ３４ｃが押されてから、例えば５秒経過しても次の右ストップスイッチ３４ｃの押下が無い場合には、それまでの押下回数（この例では６回）が、右ストップスイッチ３４ａの数値として、確定するようになっている。以上のようにして、暗証番号「３４６」を入力し、数値を確定する。
【００５１】
また、遊技者が席に戻り、遊技を再開する場合には、前記暗証番号（この場合は、「３４６」）をストップスイッチ３４（３４ａ，３４ｂ，３４ｃ）から順次入力すれば、施錠・開錠制御部５１の制御により、雌施錠部１３ｂのソレノイドを開錠状態にセットし、蓋１２を開くことが可能となる。
【００５２】
また、パチスロホール側の都合（例えば、パチスロ機の故障）で蓋１２をしておきたい場合には、ホール従業員が蓋１２を閉じたのを確認後、中央制御部４０の入力部４５からメッセージ（「故障中」）を入力すればよい。
【００５３】
そして、故障の修理が終了した場合には、ストップスイッチ３４（暗証番号入力手段）から所定の暗証番号を入力すると、「故障中」の表示が消え、代わりに例えば「いらっしゃいませ」が表示されるようにしておく。
【００５４】
［実施形態２］
実施形態２は、受け皿部を半円筒状に構成し、取出し防止手段として回転胴を備えた場合である。
図４は、実施形態２におけるスロットマシンＳＭの受け皿部周辺を示す要部斜視図である。また、図５は、図４に示したスロットマシンＳＭにおけるIVａ−IVａ線に沿う断面図、図６は、図５に示した受け皿部周辺のIVｃ−IVｃ線に沿う断面図である。
【００５５】
図４〜図６に示すように、受け皿部１０Ａは、左右の側板１６ａ，１６ｂと、固定胴１７ａ，回転胴１７ｂとを備えてなる。
右側板１６ａは略円形をなし、内面側に次に説明する回転胴１７ｂがスライド回転するガイド溝（図示省略）を形成してある。
左側板１６ｂは右側板１６ａと同様に、略円形をなし、内面側に回転胴１７ｂがスライド回転するガイド溝１６ｃを形成してある。
【００５６】
固定胴１７ａは円筒を縦割りした半円筒状をなし、外周面に沿って凹凸を形成してある。固定胴１７ａの内面側に、メダルを貯えることが可能となる。
同様に回転胴１７ｂも半円筒状をなし、内周面に沿って凹凸を形成してある。
固定胴１７ａと回転胴１７ｂの凹凸は互いに係合し、その係合幅１７ｃはメダル（図示省略）の直径より小さくしてある（例えば、メダルの直径２５ｍｍに対し、係合幅１７ｃは２０ｍｍ）。
【００５７】
このように凹凸を設けた理由は、平滑な内周面と外周面とで回転させると、該内周面と外周面とが隙間を形成した場合に、該隙間にメダルが入ってしまうおそれがあるのを防止するためである。係合幅１７ｃをメダル直径より小さくした理由は、係合幅１７ｃがメダル直径より大きいと、前記理由と同じ理由で、隙間ができた場合に、メダルが隙間に入り込むのを防止するためである。
【００５８】
施錠の場合は、図５に示すように、前面パネル部ＦＰに施錠機構１７ｄを設けておき、例えば回転されてきた回転胴１７ｂの先端の凸部を左右から挟持する機能を持たせればよい。
【００５９】
そして、遊技客が離席する場合には、回転胴１７ｂを上方に回転させて受け皿を閉じ（図５では矢印方向（時計方向）に回転させる）、ストップスイッチ３４（３４ａ，３４ｂ，３４ｃ）から暗証番号を入力し、回転胴１７ｂを手で手前に回転方向に動かそうとして回転しないことを確認することにより、施錠機構１７ｄの作動を確認後、離席すればよい。
【００６０】
［実施形態３］
実施形態３は、取出し防止手段としてロール蓋を用いた場合である。
図７は、実施形態３を示す図であって、（Ａ）は要部外観斜視図、（Ｂ）はロール蓋単独の斜視図である。
図７（Ａ），（Ｂ）に示すように、パチンコ機ＰＭの下部には払出口６５が形成してあり、払出口６５の手前に箱状の受け皿部６０を配置する。受け皿部６０は、受け皿６１と灰皿６４とを備えてなる。
【００６１】
受け皿６１の左方には支軸６２を配置し、該支軸６２に例えば可撓性のステンレスからなるロール蓋６３の一端を固定し、ロール蓋６３の他端には鉤状の係止突起６３ａを設ける。係止突起６３ａは受け皿６１の右側面に設けた施錠機構６１ａに係止され、施錠される。
ロール蓋６３の上面には「休憩中」の文字を印刷できる。これにより、第三者にそのパチンコ機ＰＭの使用者が「休憩中」であることを知らせることができる。
【００６２】
そして、遊技客が離席する場合には、巻き取られているロール蓋６３の係止突起６３ａを掴んでロール状態から引き出し、受け皿６１を閉じた後、係止突起６３ａを施錠機構６１ａに引掛け、暗証番号入力部５３から暗証番号を入力する。その後、遊技客は係止突起６３ａを外す方向（図７（Ｂ）では右方向）に引いてみて、施錠が完全であるか否かを確認後、離席する。
【００６３】
［実施形態４］
実施形態４は、取出し防止手段として脱着可能な板状蓋を用いた場合である。
図８は、実施形態４における取出し防止手段（板状蓋）の斜視図である。
図８に示すように、板状蓋７１は受け皿６１を塞ぐように長方形の左右端部が下方に折り曲げられている。７１ａは払出口６５を塞ぐ穴塞ぎであり、該穴塞ぎ７１ａにより、第三者が払出口６５から指を差し入れ、賞球を盗むことを防止する。
なお、この板状蓋７１の上面にも、「休憩中」などのメッセージを記載可能である。
【産業上の利用可能性】
【００６４】
実施形態１と実施形態２では取出し防止手段をパチスロ機に使用した場合を説明したが、パチンコ機にも使用可能なのは、勿論である。
なお、パチスロ機では、暗証番号の入力手段としてストップスイッチ３４（３４ａ，３４ｂ，３４ｃ）を使用した。
【００６５】
これに対し、図９（Ａ），（Ｂ）に示すように、パチンコ機ＰＭの場合は、蓋１２を閉じると、暗証番号設定モードに切り替わるようにしておく。即ち、パチンコ機中央のタッチパネル式の液晶表示部８１に暗証番号設定の数字「１，２，３，…，０」を表示させる。
【００６６】
そして、暗証番号として「３４６」を設定する場合には、先ず遊技客が指で「３」にタッチし、「３」でよければ決定ボタン８１ｂをタッチする。次いで、「４」をタッチしたいにもかかわらず、誤って「５」をタッチした場合は，変更ボタン８１ａをタッチした後、「４」をタッチし、決定ボタン８１ｂをタッチする。同様に最後に「６」をタッチし、決定ボタン８１ｂをタッチする。
８２は賞球払出口、８３は賞球受け皿、８４はハンドルである。
【００６７】
このようにすれば、パチンコ機の既存の液晶表示部８１をそのまま使用できるので、機能追加による製造原価のコストアップを抑制することができる。
また、実施形態３と実施形態４では取出し防止手段をパチンコ機に使用した場合を説明したが、パチスロ機にも使用可能なのは、勿論である。
【図面の簡単な説明】
【００６８】
【図１】本発明の実施形態１におけるスロットマシンの構成を示す外観斜視図である。
【図２】同実施形態１におけるスロットマシンの受け皿部周辺の構成を示す要部拡大図であって、（Ａ）は図１に示すスロットマシン上のＩ−Ｉ線に沿う断面図、（Ｂ）は受け皿部の開口部を開いた状態での蓋の正面図、（Ｃ）は受け皿部の開口部を閉じた状態での蓋の正面図である。
【図３】同実施形態１におけるスロットマシンの施錠制御系の構成を示すブロック図である。
【図４】本発明の実施形態２におけるスロットマシンの受け皿部周辺の構成を示す構成斜視図である。
【図５】図４に示した受け皿部周辺の構成図上のIVａ−IVａ線に沿う断面図である。
【図６】図５に示した受け皿部周辺の断面図上のIVｃ−IVｃ線に沿う要部斜視図である。
【図７】本発明の実施形態３におけるスロットマシンの受け皿部周辺の構成を示す外観斜視図であって、（Ａ）は要部外観斜視図、（Ｂ）はロール蓋単独の斜視図である。
【図８】本発明の実施形態４におけるスロットマシンに用いる取出し防止手段（板状蓋）の構成を示す外観斜視図である。
【図９】パチンコ機で暗証番号を設定するための構成を示す概略図であって、（Ａ）はパチンコ機の正面図、（Ｂ）は液晶表示部の表示状態を示す図である。
【図１０】従来のスロットマシンの前面パネル部を開いた状態を示す斜視図である。
【図１１】従来のスロットマシンにおける休憩・予約表示入力手段の外観を示す斜視図である。
【符号の説明】
【００６９】
ＦＰ  前面パネル部
ＬＣ  施錠制御系
ＰＭ  パチンコ機
ＳＭ  スロットマシン
ＳＨ  スロットマシン本体部
１０，１０Ａ  受け皿部
１１  受け皿本体
１２  蓋
１２ａ  蓋表面
１２ｂ  蓋裏面
１３ａ  雄施錠部
１３ｂ  雌施錠部
１４  メダルの払出口
１５  灰皿
１６ａ  右側板
１６ｂ  左側板
１６ｃ  ガイド溝
１７ａ  固定胴
１７ｂ  回転胴
１７ｃ  係合幅
１７ｄ  施錠機構
２０  回胴ドラム表示部
３０  操作部
３１  メダル投入口
３２  メダルＢＥＴスイッチ
３３  スタートレバー
３４（３４ａ，３４ｂ，３４ｃ）  ストップスイッチ
４０  中央制御部
４１  個別台暗証番号制御部
４２  個別台施錠・開錠制御部
４３  一斉施錠・開錠制御部
４４  タイマー制御部
４５  入力部
４６  表示部
４７  ＲＯＭ
４８  ＲＡＭ
５０  個別台制御部
５１  施錠・開錠制御部
５２  タイマー制御部
５４  表示部
６０  受け皿部
６１  受け皿
６１ａ  施錠機構
６２  支軸
６３  ロール蓋
６３ａ  係止突起
６４  灰皿
６５  払出口
７１  板状蓋
７１ａ  払出口
８１  液晶表示部
８１ａ  変更ボタン
８１ｂ  決定ボタン
８２  払出口
８３  賞球受け皿
８４  ハンドル
１００  スロットマシン本体
１１０  前面パネル
１１９  休憩・予約表示入力手段
１１９−１  表示切換スイッチ
１１９−３  時間設定スイッチ
１１９−４  表示継続スイッチ
１１９−５  遊技再開選択スイッチ
１１９−６  遊技ロックスイッチ
１３０ａ，１３０ｂ，１３０ｃ  回胴ドラム
１４０  ホッパータンク
【図１】
2005074102.tif 000003
【図２】
2005074102.tif 000004
【図３】
2005074102.tif 000005
【図４】
2005074102.tif 000006
【図５】
2005074102.tif 000007
【図６】
2005074102.tif 000008
【図７】
2005074102.tif 000009
【図８】
2005074102.tif 000010
【図９】
2005074102.tif 000011
【図１０】
2005074102.tif 000012
【図１１】
2005074102.tif 000013